(57)【要約】本発明は腰ベルトバックルの固定装置に係り、もっと詳しくはズボンのボタン挿入グルーブに挿入されるボタンには挿入結合グルーブが形成されて、腰ベルトバックルには突き出結合部が形成されて前記腰ベルトバックルの突き出結合部を前記ボタンの挿入結合グルーブに対応されるように加圧することで前記腰ベルトバックルを前記ズボンのボタンに便利に固定させることができる腰ベルトバックルの固定装置に関する。  本発明による腰ベルトバックル固定装置はズボンと腰ベルトを着するにおいて、ズボンの一側に固定されるボタン部材には挿入結合グルーブが形成されて、腰ベルトのバックル背面には突き出結合部が具備されて前記バックルの突き出結合部を前記ボタン部材の挿入結合グルーブに対応されるように加圧して締結させることで前記腰ベルトのバックルを前記ズボンのボタン部材に固定させることを特徴とする。
2009513229.tif 000002
【特許請求の範囲】
【請求項１】
腰ベルトを着するにおいて、ズボンの一側に固定されるボタン部材には挿入結合グルーブが形成されて、腰ベルトのバックル背面には突き出結合部が具備されて前記バックルの突き出結合部を前記ボタン部材の挿入結合グルーブに対応されるように加圧して締結させることで前記腰ベルトのバックルを前記ズボンのボタン部材に固定させることを特徴とする腰ベルトバックルの固定装置。
【請求項２】
前記ボタン部材の挿入結合グルーブはスナップタイプ挿入結合グルーブで形成することと同時に前記突き出結合部はスナップタイプ締結部で構成されて前記スナップタイプ締結部が前記スナップタイプ挿入結合グルーブに締結されることを特徴とする請求項１に記載の腰ベルトバックルの固定装置。
【請求項３】
前記ボタン部材の挿入結合グルーブは磁力を持つ物質でなされることを特徴とする請求項1または請求項２に記載の腰ベルトバックルの固定装置。
【発明の詳細な説明】
【技術分野】
【０００１】
本発明は腰ベルトバックルの固定装置に係り、もっと詳しくはズボンのボタン挿入グルーブに挿入されるボタンには挿入結合グルーブが形成されて、腰ベルトバックルには突き出結合部が形成されて前記腰ベルトバックルの突き出結合部を前記ボタンの挿入結合グルーブに対応されるように加圧することで前記腰ベルトバックルを前記ズボンのボタンに便利に固定させることができる腰ベルトバックルの固定装置に関する。
【背景技術】
【０００２】
従来にはズボンを着するためにボタン挿入グルーブにボタンを挿入締結して、腰ベルトを着した。この時腰ベルトの絞り長さはズボンの胴回りと一致するように引っぱって固定したが、食事の後や任意に腰ベルト着用者が緩く腰ベルトを解いた時は腰ベルトバックルが張られるとか落ちて美観上良くなかったし、このような不便さによって腰ベルト着用者はいつも胴回りと一致するように腰ベルトの長さを固定しなければならない不便さがあった。
【発明の開示】
【発明が解決しようとする課題】
【０００３】
発明の詳細な説明
技術的課題
前記のような不便さを解消するために発明した本発明はズボンを着するためにボタン挿入グルーブに挿入するボタンの中央に挿入結合グルーブを形成して、腰ベルトバックルハウジングに突き出結合部を形成して腰ベルトバックルの突き出結合部をボタン挿入グルーブに締結させることで腰ベルト着用者が腰ベルト長さを緩くしてもバックルが下で張られるとか落ちなくて見掛け上や美観上淑やかで貞潔な身なりを演出するようにすることをその目的にする。
【課題を解決するための手段】
【０００４】
技術的解決方法
本発明による腰ベルトバックル固定装置はズボンと腰ベルトを着するにおいて、ズボンの一側に固定されるボタン部材には挿入結合グルーブが形成されて、腰ベルトのバックル背面には突き出結合部が具備されて前記バックルの突き出結合部を前記ボタン部材の挿入結合グルーブに対応されるように加圧して締結させることで前記腰ベルトのバックルを前記ズボンのボタン部材に固定させることを特徴とする。
【０００５】
好ましくは前記ボタン部材の挿入結合グルーブはスナップタイプ挿入結合グルーブで形成することと同時に前記突き出結合部はスナップタイプ締結部で構成されて前記スナップタイプ締結部が前記スナップタイプ挿入結合グルーブに締結される。
【０００６】
より好ましくは前記ボタン部材の挿入結合グルーブは磁力を持つ物質でなされる。
【発明の効果】
【０００７】
有利な効果
前記したところのような本発明は既存ズボンに附着するボタンが既存機能を遂行することと同時にボタンに挿入結合グルーブを具備して腰ベルトのバックルに具備された突き出結合部と締結されるように構成することで腰ベルトを緩く絞めても腰ベルトやバックルの張られることがなしに淑やかな身なりを維持することができる効果がある。
【発明を実施するための最良の形態】
【０００８】
発明の実施のための形態
以下、添付された図面を参照して詳細に説明する。
【０００９】
図1は従来のズボンと腰ベルトを示した図面である。図1を参照すれば、ズボン1の一側面にはボタン挿入穴10が打穴されていて、そのボタン挿入穴10と対応するズボン1の他側面にはボタン部材30が固定されている。したがって、ズボン1の他側面に具備されたボタン部材30をズボン1の一側面に形成されたボタン挿入穴10に挿入して締結させる。その次、ズボン1が下がることを防止するために腰ベルト20をズボン1に着するのに、通常腰ベルト20はバックル40の固定突起掛けがね部41、バックルハウジング42、締結穴43で構成されて固定突起掛けがね部41を腰ベルト20の締結穴43に挟んで締結させる。
【００１０】
図2及び図3は本発明による腰ベルトバックルの固定装置を示した図面である。
【００１１】
図2及び図3を参照すれば、ズボン1の一側面にはボタン挿入穴10が打共されていて、そのボタン挿入穴10と対応するズボン1の他側面にはボタン部材300が固定されている。ボタン部材300には挿入結合グルーブ340が形成されている。好ましくは前記ボタン部材300はスナップタイプボタンである。図2及び図3に図示したところのようにボタン部材300はズボン1原緞を貫いてズボン1内側で締結されるスナップ支持版310、スナップ支持版310から延長されたスナップタイプボタン連結部320、スナップタイプボタン連結部320に具備されたスナップタイプボタンハウジング330でなされて、前記スナップタイプボタンハウジング330にはスナップタイプボタン挿入結合グルーブ340が形成されている。好ましくは前記スナップタイプボタン挿入結合グルーブ340は円状でなされて、その挿入結合グルーブ340の内側面まわりに沿って締結リング350が具備されている。
【００１２】
前記腰ベルト20の末端にはバックル400が具備されるのにそのバックル400の背面に突き出されるように突き出締結部410が具備される。好ましくは前記突き出締結部410は円状突起形象のスナップ締結部410である。腰ベルト20を着した後、バックル400の背面に具備されたスナップ締結部410を前記ボタン部材300の挿入結合グルーブ340につけて加圧することでバックル400をボタン部材300に固定させることができる。
【００１３】
より好ましくは前記ボタン部材300の挿入結合グルーブ340内側面を磁力を持つように構成することでバックル400のスナップ締結部410が磁性によってボタン部材300の挿入結合グルーブ340に容易く締結可能になるようにできる。
【００１４】
本発明は当該発明が属する技術の分野において通常の知識を有する者なら誰でも多様な変形実施が可能なことは勿論で、そのような変形は特許請求の範囲の記載の内わくにあるようになる。
【産業上の利用可能性】
【００１５】
上述したところのように前記したところのような本発明は既存ズボンに附着するボタンが既存機能を遂行することと同時にボタンに挿入結合グルーブを具備して腰ベルトのバックルに具備された突き出結合部と締結されるように構成することで腰ベルトを緩く絞めても腰ベルトやバックルの張られることがなしに淑やかな身なりを維持することができる効果がある。
【図面の簡単な説明】
【００１６】
【図１】従来のズボンと腰ベルトを示した図面である。
【図２】本発明による腰ベルトバックルの固定装置を示した図面である。
【図３】本発明による腰ベルトバックルの固定装置を示した図面である。
【図１】
2009513229.tif 000003
【図２】
2009513229.tif 000004
【図３】
2009513229.tif 000005
【国際調査報告】
2009513229.tif 000006
2009513229.tif 000007